(57)【要約】【課題】仕切り箇所に発生し得る不具合を回避し、余計な手間をかけずに別種の内容物を分離して収容できる包装袋を提供する。【解決手段】本発明による包装袋は、第１の内容物（３）と第２の内容物（２）とを、軟包性フィルムから成る第１の収容部１１と第２の収容部２１とにそれぞれ分離して密封収容し、上記第１の収容部１１と上記第２の収容部２１との仕切りを開封することにより上記第１の内容物（３）と上記第２の内容物（２）とを混合可能とする包装袋１であって、上記第１の収容部１１は、上記第１の内容物（３）を収容した後に封止される第１の開口部１２と、上記第１の内容物（３）と上記第２の内容物（２）とを仕切ると共に開封する機能を有する仕切部（１４）とを含み、上記第２の収容部２１は、正面側又は背面側の何れか一方に、上記仕切部（１４）を介さずに上記第２の内容物（２）を収容可能とし、収容後に封止される第２の開口部２２を含む。【選択図】図１
2018058628.tif 000002
【特許請求の範囲】
【請求項１】
第１の内容物と第２の内容物とを、軟包性フィルムから成る第１の収容部と第２の収容部とにそれぞれ分離して密封収容し、前記第１の収容部と前記第２の収容部との仕切りを開封することにより前記第１の内容物と前記第２の内容物とを混合可能とする包装袋であって、
前記第１の収容部は、前記第１の内容物を収容した後に封止される第１の開口部と、前記第１の内容物と前記第２の内容物とを仕切ると共に開封する機能を有する仕切部とを含み、
前記第２の収容部は、正面側又は背面側の何れか一方に、前記仕切部を介さずに前記第２の内容物を収容可能とし、収容後に封止される第２の開口部を含む、
ことを特徴とする包装袋。
【請求項２】
前記第２の収容部は、該第２の収容部の内側フィルムの一部が前記第１の収容部の外側フィルムの一部を取り囲むように重なり、
前記内側フィルムの一部は、正面側又は背面側の何れか一方の面において、開封を容易とする第１のつまみ部を形成するように前記外側フィルムに貼着され、他方の面において、前記第２の開口部から前記第２の内容物が収容された後、開封を容易とする第２のつまみ部を形成するように前記外側フィルムに貼着され、
前記第１のつまみ部と前記第２のつまみ部とを、引っ張ることにより、前記仕切部が開封されることを特徴とする請求項１に記載の包装袋。
【請求項３】
前記仕切部は、開閉自在な一対の雄部材及び雌部材よりなる帯状の嵌合部を有するジッパーテープであることを特徴とする請求項１又は請求項２に記載の包装袋。
【請求項４】
前記仕切部は、ヒートシールにより開封用のカットラインの加工が施されていることを特徴とする請求項１又は請求項２に記載の包装袋。
【請求項５】
前記仕切部は、前記フィルムの肉厚に切り込みを入れることにより開封用のハーフカットの加工が施されていることを特徴とする請求項１又は請求項２に記載の包装袋。
【請求項６】
前記第２の収容部の底部が上部よりも広がりを有しており、自立可能とされていることを特徴とする請求項１から請求項５の何れか１項に記載の包装袋。
【発明の詳細な説明】
【技術分野】
【０００１】
本発明は、別種の内容物を仕切りによって分離して収容し、使用直前にこれらの内容物を混合して用いる包装袋に関し、詳しくは、余計な手間をかけずに上記内容物を分離して収容できる包装袋に係るものである。
【背景技術】
【０００２】
従来から、包装袋の一例として、ラミネートフィルムからなる袋の密閉収容部を仕切りによって複数の収容室に区分けし、仕切りを解除することにより各収容室の内容物を混合可能とする混合袋が知られている（例えば、特許文献１参照）。
この混合袋では、その仕切りが袋の内面に一体化されて雄雌嵌合するチャックであることを特徴としている。そして、この特許文献１では、混合袋の一辺を未だ開口部とする状態で、この開口部から下側の収容室に内容物を充填した後、雄型チャック部材と雌型チャック部材とを嵌合してチャックを閉じ、上記開口部から上側の収容室に別の内容物を充填し、最後に上記開口部をヒートシールにより密閉している。
【先行技術文献】
【特許文献】
【０００３】
【特許文献１】特開平０９−１６９３６６号公報
【発明の概要】
【発明が解決しようとする課題】
【０００４】
しかし、上記混合袋の場合、例えば、内容物の一部が異物としてチャックに挟まることが起こり得る。すると、いわゆる内容物の噛み込みにより、チャックが完全に閉まらない等の不具合が生じやすくなる。この場合、手作業であれば、例えばチャックを再度開封して異物を取り除く等の手間がかかる。また、機械作業であれば、例えば、後で不良品として取り除く等の手間がかかる。なお、仕切りについては、チャックに限られず、例えば、ヒートシール等も知られている。この場合においても、内容物の一部が異物としてヒートシールを行なう面に付着するおそれがある。すると、例えば、ヒートシールにより完全に仕切ることが困難になる等の不具合が生じやすくなる。なお、上記不具合に気が付かなければ、不完全な仕切りによって内容物の漏れにも繋がることが起こり得る。
したがって、別種の内容物を分離して収容することに関しては、未だ改善の余地がある。また、別種の内容物を分離して収容することに関し、余計な手間がかからない構造であることが望ましい。
【０００５】
そこで、本発明は、仕切り箇所に発生し得る不具合を回避し、余計な手間をかけずに別種の内容物を分離して収容できる包装袋を提供することを目的とする。
【課題を解決するための手段】
【０００６】
本発明による包装袋は、第１の内容物と第２の内容物とを、軟包性フィルムから成る第１の収容部と第２の収容部とにそれぞれ分離して密封収容し、上記第１の収容部と上記第２の収容部との仕切りを開封することにより上記第１の内容物と上記第２の内容物とを混合可能とする包装袋であって、上記第１の収容部は、上記第１の内容物を収容した後に封止される第１の開口部と、上記第１の内容物と上記第２の内容物とを仕切ると共に開封する機能を有する仕切部とを含み、上記第２の収容部は、正面側又は背面側の何れか一方に、上記仕切部を介さずに上記第２の内容物を収容可能とし、収容後に封止される第２の開口部を含む。
【発明の効果】
【０００７】
本発明によれば、上記第２の開口部を備えたことにより、上記仕切部を介さずに上記第２の開口部から上記第２の内容物を第２の収容部に収容させることができる。したがって、本発明による包装袋は、仕切り箇所に発生し得る不具合を回避でき、これにより余計な手間をかけずに別種の内容物を分離して収容できる。
【図面の簡単な説明】
【０００８】
【図１】第１実施形態における包装袋の一例を示す正面図（ａ）及びそのＯ−Ｏ線の断面図（ｂ）である。
【図２】図１に示す包装袋における第１の収容部の正面図である。
【図３】図１に示す包装袋における第２の収容部の正面図である。
【図４】第１実施形態における包装袋に第１及び第２の内容物を収容する状態の一例を示す工程図である。
【図５】第１実施形態における包装袋の一例を示す斜視図である。
【図６】第１実施形態における工程図の第１工程の一例を示す斜視図である。
【図７】第１実施形態における工程図の第２工程の一例を示す斜視図である。
【図８】第１実施形態における工程図の第３工程の一例を示す斜視図である。
【図９】第１実施形態における工程図の第４工程の一例を示す斜視図である。
【図１０】第１実施形態における包装袋の第１及び第２のつまみ部を用いたチャックの開封の仕方を示す説明図である。
【図１１】第１実施形態における包装袋の使用状態を示す説明図である。
【図１２】第１実施形態における包装袋の使用状態を示す説明図である。
【図１３】第２実施形態における包装袋の一例を示す正面図（ａ）及びそのＯ−Ｏ線の断面図（ｂ）である。
【図１４】第３実施形態における包装袋の一例を示す正面図（ａ）及びそのＯ−Ｏ線の断面図（ｂ）である。
【図１５】第３実施形態における包装袋のハーフカットの状態を示す説明図である。
【図１６】第４実施形態における包装袋の一例を示す斜視図である。
【発明を実施するための形態】
【０００９】
以下、本発明を実施するための実施形態について添付図面を参照して詳述する。
［第１実施形態］
図１は、第１実施形態における包装袋の一例を示す正面図（ａ）及びそのＯ−Ｏ線の断面図（ｂ）である。図２は、図１に示す包装袋における第１の収容部の正面図であり、図１に示す包装袋における第２の収容部の正面図である。
【００１０】
図１に示す包装袋１は、フィルム状の包装袋の一例であって、別種の内容物（２以上の異なる内容物）として第１の内容物と第２の内容物とを、軟包性フィルムから成る第１の収容部１１と第２の収容部２１とにそれぞれ分離して密封収容し、第１の収容部１１と第２の収容部２１との仕切りを開封することにより第１の内容物と第２の内容物とを混合可能とするものである。第１の内容物は、一例として、固形ドレッシングであり、第２の内容物は、例えば、カット野菜である。
包装袋１は、例えば長方形状の袋であって、第１の収容部１１と第２の収容部２１とを備える。第１の収容部１１は、第１の内容物と第２の内容物とが混合される前の状態において、第１の内容物を収容するものであって、正面から見て、第１の開口部１２（符号１２は、図１（ｂ）参照）と、一対の第１の側壁部１３ａ、１３ｂと、チャック１４とを備えて成る。チャック１４は、仕切部の一例である。
【００１１】
つまり、第１の収容部１１は、正面から見て、互いに対向して配置されたフィルムが上下方向に沿って両端部がヒートシールされることにより、一対の第１の側壁部１３ａ、１３ｂを形成している。そして、第１の収容部１１は、上下方向の一方の側に、第１の開口部１２が左右方向に沿って設けられ、他方の側にチャック１４が左右方向に設けられている。また、第１の収容部１１の上部には、正面から見て左右方向に沿って開封用のティアテープ１５が設けられている。なお、ティアテープ１５は、一例として両面用のティアテープであって、背面にも左右方向に沿ってティアテープ１５が設けられている。
【００１２】
第１の開口部１２は、第１の内容物を収容した後にヒートシールにより封止される。チャック１４は、第１の内容物と第２の内容物とを仕切ると共に開封する機能を有する。具体的には、チャック１４は、開閉自在な一対の雄部材１４１及び雌部材１４２よりなる帯状の嵌合部（咬合部）を有するジッパーテープ（チャックテープ）である。このジッパーテープは、フィルムを使用した包装に対応する低密度ポリエチレン（ＬＤＰＥ）系の熱可塑性樹脂からなる。第１の収容部１１へのチャック１４の一体化は、例えば、熱可塑性樹脂からなる雄部材１４１及び雌部材１４２をそれぞれ第１の収容部１１の内面にヒートシールすることにより行われる。なお、チャック１４は、繰り返し開封、密閉することのできる熱可塑性樹脂からなるチャックであればよく、特に限定されない。
【００１３】
第２の収容部２１は、第１の内容物と第２の内容物とが混合される前の状態において、第２の内容物を収容するものであって、正面から見て、第２の開口部２２（符号２２は、図１（ｂ）参照）と、一対の第２の側壁部２３ａ、２３ｂと、ガセット部２４とを備えて成る。ここで、第１の収容部１１と第２の収容部２１との接合について説明すると、第２の収容部２１は、第２の収容部２１の内側フィルムの一部が第１の収容部１１の外側フィルムの一部を取り囲むように重なり、内側フィルムの一部は、背面側の面において、左右方向に開封を容易とする第１のつまみ部２５（図１０（ａ）参照）を形成するようにして、直線状のシール部１６を介して、ヒートシールにより外側フィルムに貼着されている。
【００１４】
なお、図７、図１０で後述するように、第２の収容部２１の内側フィルムの一部は、正面側の面において、第２の開口部２２から第２の内容物が収容された後、開封を容易とする第２のつまみ部２６（図１０（ａ）参照）を形成するようにして、直線状のシール部１７（図１０（ａ）参照）を介して、ヒートシールにより外側フィルムに貼着されている。ここで、特許文献１にも、開封を容易にするための解除用タブ（つまみ）が開示されているが、第１実施形態における第２のつまみ部２６は、第２の内容物が第２の収容部２１に収容されるまでは、第２の開口部２２の入口部分を形成しており、複数の機能を兼ね備えている点が異なる。
【００１５】
第２の開口部２２は、第２の内容物を収容した後に封止される。ガセット部２４は、第２の収容部２１の底部が上部よりも広がりを有しており、自立可能とするために、その底部に相当するフィルムが断面方向から見て“Ｗ”形状に折り込まれて形成されている。なお、ガセット部２４を形成することで、第２の内容物の収容の際には底部が平らの状態（略平らの状態も含む）で収容され、これにより、第２の内容物は潰れにくくなる。さらに、第２の内容物の容積をより増やすことが可能となる。また、ガセット部２４の底部が平らになることで、自立性がより安定することになる。
【００１６】
ここで、包装袋１に適用されるフィルムは、例えば、公知のドライラミネート法によって作製された可撓性の多層樹脂フィルム（ラミネートフィルム）である。具体的には、第１の収容部１１のフィルムは、外層がＯＰＰ（二軸延伸ポリプロピレン）フィルム、内層がＣＰＰ（無延伸ポリプロピレン）フィルムであり、第２の収容部２１のフィルムも、同様にして、外層がＯＰＰフィルム、内層がＣＰＰフィルムである。このようなフィルムを採用するのは、例えば、コンビニエンスストア、スーパー、百貨店等の売り場にて、カット野菜を購入しようとする消費者が、包装袋１の内部に収容されたカット野菜や固形ドレッシングを視認可能とするためである。
【００１７】
なお、包装袋１に適用されるフィルムの厚さについては、一例として２０μｍとしているが、用途に応じて適宜変更することが可能である。
【００１８】
次に、このように構成された包装袋１に、実際に第１の内容物、第２の内容物を収容し、商品として製造するまでの工程について説明する。
【００１９】
図４は、第１実施形態における包装袋に第１及び第２の内容物を収容する状態の一例を示す工程図である。図４に示す工程図は、食品の加工工場等において、図示省略の機械により、第１の内容物である固形ドレッシング、第２の内容物であるカット野菜を包装袋１に収容して商品とする図示省略の製造ラインにて実行される。
図５は、第１実施形態における包装袋の一例を示す斜視図である。図５に示す包装袋１は、底部がガセットタイプ（ボトムガセット）の包装袋である。第１実施形態では、図４に示す工程図において、この包装袋１を用いる。
図６〜図９は、第１実施形態における工程図の第１〜第４工程の一例を示す斜視図である。
【００２０】
第１工程１０１では、第２の開口部２２から第２の収容部２１に第２の内容物を収容する。具体的には、製造ライン上において包装袋１が搬送されてくると、図６に示す通り、先ず、カット野菜２は、重力作用を利用して第２の開口部２２から第２の収容部２１に収容される。すると、第２工程１０２に移行する。なお、カット野菜２は、説明の便宜上、一枚の葉で表しているが、実際には、１種類の野菜がカットされたものであってもよく、複数の種類の野菜（例えば、キャベツ、胡瓜、人参等）がカットされたものであってもよい。
【００２１】
第２工程１０２では、図７に示す通り、第２のつまみ部２６を形成するようにして包装袋１の第２の開口部２２をヒートシールする。これにより、第２の開口部２２が封止されることで第２の収容部２１は密封収容される。すると、第３工程１０３に移行する。
【００２２】
第３工程１０３では、第１の開口部１２から第１の収容部１１に第１の内容物を収容する。具体的には、図８に示す通り、第１の開口部１２から第１の収容部１１に固形ドレッシング３が収容される。すると、第４工程１０４に移行する。
【００２３】
第４工程１０４では、図９に示す通り、第１の収容部１１の第１の開口部１２をヒートシールする。これにより、第１の開口部１２が封止されることで第１の収容部１１は密封収容される。以上より、包装袋１では、第１の収容部１１と第２の収容部２１とに、第１の内容物と第２の内容物とがそれぞれ分離して密封収容される。
【００２４】
次に、カット野菜２及び固形ドレッシング３が収容された包装袋１が商品として、例えばコンビニエンスストア、スーパー、百貨店等の売り場の陳列棚に陳列されて、その商品を購入した消費者が食品として食べる場合、包装袋１の開封の仕方について説明する。
【００２５】
図１０は、第１実施形態における包装袋の第１及び第２のつまみ部を用いたチャックの開封の仕方を示す説明図である。
図１０（ａ）〜（ｃ）では、図１（ｂ）に示すチャック１４を含む領域の要部を拡大して表している。図１０（ａ）に示す通り、第１のつまみ部２５及び第２のつまみ部２６が第２の収容部２１の両端部にそれぞれ設けられている。図１０（ｂ）に示す通り、消費者が、例えば、自身の右手Ｈ１で第２のつまみ部２６を摘まみ、自身の左手Ｈ２で第１のつまみ部２５を摘まみ、力Ｆで引っ張ると、第１のつまみ部２５と第２のつまみ部２６とは、互いに逆方向に引っ張られることになる。すると、図１０（ｃ）に示す通り、チャック１４が解除され、雄部材１４１と雌部材１４２とが分かれることで開封される。つまり、消費者が第１のつまみ部２５と第２のつまみ部２６とを、引っ張ることによりチャック１４が開封される。
【００２６】
図１１は、第１実施形態における包装袋の使用状態を示す説明図である。図１１に示す通り、消費者によりチャック１４が解除され開封した状態を表しており、固形ドレッシング３が重力作用により第２の収容部２１に移動し得る。ここで、消費者により包装袋１が上下方向に振られると、カット野菜２と固形ドレッシング３とは、さらに良く混ざり合うことになる。
【００２７】
図１２は、第１実施形態における包装袋の使用状態を示す説明図である。消費者は、包装袋１のティアテープ１５の先端を引っ張ることにより、簡単にフィルムを剥くことができ、これにより、第１の収容部１１の上部１８が切り取られる。その結果、包装袋１が開封されることになり、消費者は、カット野菜２と固形ドレッシング３とが混合した状態で食べることができる。なお、ティアテープ１５は片面タイプのものであってもよい。また、図１の第１の側壁部１３ａ、１３ｂの一端又は両端に切り込みが設けられているタイプであってもよい。具体的には、Ｖ字型の切り込み（側面Ｖノッチ）、ホームベース型の切り込み（側面ベースノッチ）、Ｕ字型の切り込み（側面Ｕノッチ）、直線状の切り込み（側面Ｉノッチ）の何れであってもよい。
以上、第１実施形態によれば、仕切り箇所に発生し得る不具合を回避でき、これにより余計な手間をかけずに別種の内容物を分離して収容できる。なお、第１実施形態では、第２の収容部２１の底部が上部よりも広がりを有しており、自立可能とされているガセットタイプ（ボトムガセット）の包装袋を採用したが、両側壁側がガセットタイプ（サイドガセット）の包装袋を採用してもよい。
【００２８】
［第２実施形態］
次に、第２実施形態について説明する。なお、第２実施形態では、第１実施形態と、同様な構成要素については同じ符号を付して説明を省略し、相違点について詳述する。また、後述する第３、４実施形態も同様とする。第２実施形態では、仕切部が特定の形状にヒートシール加工されている点を特徴とする。
【００２９】
図１３は、第２実施形態における包装袋の一例を示す正面図（ａ）及びそのＯ−Ｏ線の断面図（ｂ）である。図１３では、包装袋１Ａにおいて仕切部の一例としてヒートシールによるカットライン２７が形成されている。そして、カットライン２７は、開封用のカットラインであって、ヒートシール加工により、正面から見て左右方向に沿って中心にかけて略Ｖ字形状の窪みが形成されている。なお、包装袋１Ａに適用されるフィルムは、第１実施形態と同じである。
【００３０】
第１実施形態と第２実施形態とでは、仕切部の構成が、チャック１４であるかヒートシールによるカットライン２７であるかの違いだけであるので、図４で説明した包装袋１に第１及び第２の内容物を収容する工程がそのまま包装袋１Ａにも適用することができる。
【００３１】
また、仕切部の開封の仕方については、図１０を転用して説明することが可能である。具体的には、図１０に示す第１実施形態の包装袋１の第１の収容部１１が、図１３に示す第２実施形態の包装袋１Ａの第１の収容部１１ａに置き換わる。これにより、図１０（ｂ）と同様にして、消費者が、例えば、自身の右手Ｈ１で第２のつまみ部２６を摘まみ、自身の左手Ｈ２で第１のつまみ部２５を摘まみ、力Ｆで引っ張ると、第１のつまみ部２５と第２のつまみ部２６とは、互いに逆方向に引っ張られることになる。すると、結果的に正面から見て左右方向に引き裂かれることになり、カットライン２７の実線のラインは、このラインに沿って開封される。なお、カットライン２７のような形状に仕上げるヒートシール加工を第２実施形態の包装袋１Ａに適用することにより、開封時に第１の内容物が第２の収容部２１に移動しやすくなるという効果が得られる。
【００３２】
以上、第２実施形態によれば、仕切部をヒートシール加工にすることによっても、仕切り箇所に発生し得る不具合を回避でき、余計な手間をかけずに別種の内容物を分離して収容できる。さらに、第１の内容物が、例えば、マヨネーズ、マスタード、マーマレード、ジャム、味噌のような粘性の高い物質の何れかである場合、開封時にカットライン２７の窪みに向けて消費者が第１の収容部１１ａの外層のフィルムから指で押し出すことで第２の収容部２１に移動しやすくなる。
【００３３】
［第３実施形態］
次に、第３実施形態について説明する。第３実施形態では、仕切部がレーザー照射による切り込みにより、開封用のハーフカットの加工が施されている点を特徴とする。
図１４は、第３実施形態における包装袋の一例を示す正面図（ａ）及びそのＯ−Ｏ線の断面図（ｂ）である。ここで、包装袋１Ｂは、一例として、第１の収容部１１ｂのフィルムは単層フィルム（ＯＰＰフィルム）であり、第２の収容部２１のフィルムも単層フィルム（ＯＰＰフィルム）である。但し、ドライラミネート加工された複合フィルムを採用してもよい。図１４では、包装袋１Ｂにおいて仕切部の一例としてレーザー照射による切り込みにより、開封用のハーフカット２８が形成されている。
【００３４】
図１５は、第３実施形態における包装袋のハーフカットの状態を示す説明図である。ここで、図１５では、ハーフカット２８の拡大断面図を示している。ハーフカットの加工とは、フィルムの肉厚に切り込みを入れることにより、開封用のハーフカットの加工を施すことをいう。詳細には、ハーフカットの加工は、フィルムの内側面に貫通しない切り込みを入れて脆弱な箇所を形成する方法であって、例えば、フィルムに半抜き加工を施す。これにより、わずかな力でハーフカット２８の箇所を切り離すことができる。
【００３５】
ハーフカット２８を設ける方法は、例えば、レーザー照射により行われる。レーザー照射としては、用途に応じて、例えば、炭酸ガスレーザー、ＹＡＧ（Yttrium Aluminum Garnet）レーザー、エキシマレーザーのうちの何れかが選択され、連続又はパルス発振形式の装置を用いて行われる。なお、上記のレーザーの中では、例えば、透明なプラスチックのフィルムが吸収しやすい波長（例えば１０．６μｍの赤外線）の炭酸ガスレーザーを使用することが好ましい。すなわち、炭酸ガスレーザーが、第１の収容部１１ｂのフィルムの内層側に位置する折り目となる部分に照射されると、そのフィルムの照射された領域が、発熱し溶融する等してハーフカット２８が形成される。ここで、レーザー強度や照射時間を調節することにより、ハーフカット２８の深さの調節も容易となる。第３実施形態においてフィルムの脆弱部の形成にハーフカット法を採用する場合、各フィルムの厚みに対する切り込み部分の厚み（深さ）は用途に応じて適宜選択することが可能である。
【００３６】
ここで、第１実施形態と第３実施形態では、仕切部の構成が、チャック１４であるかハーフカット２８であるかの違いだけであるので、図４で説明した包装袋１に第１及び第２の内容物を収容する工程がそのまま包装袋１Ｂについても適用することができる。
【００３７】
また、ハーフカット２８の開封の仕方については、図１０を転用して説明することが可能である。具体的には、図１０に示す第１実施形態の包装袋１の第１の収容部１１が、図１４に示す第３実施形態の包装袋１Ｂの第１の収容部１１ｂに置き換わる。これにより、図１０（ｂ）と同様にして、消費者が、例えば、自身の右手Ｈ１で第２のつまみ部２６を摘まみ、自身の左手Ｈ２で第１のつまみ部２５を摘まみ、力Ｆで引っ張ると、第１のつまみ部２５と第２のつまみ部２６とは、互いに逆方向に引っ張られることになる。すると、結果的に正面から見て左右方向に引き裂かれることになり、ハーフカット２８の破線のラインは、このラインに沿って開封される。第３実施形態の包装袋１Ｂにこのハーフカットの加工を適用することにより、消費者は、わずかな力でハーフカット２８の箇所を切り離すことができる。
【００３８】
以上、第３実施形態によれば、仕切部をハーフカット２８にすることによっても、仕切り箇所に発生し得る不具合を回避でき、余計な手間をかけずに別種の内容物を分離して収容できる。
【００３９】
［第４実施形態］
次に、第４実施形態について説明する。図１６は、第４実施形態における包装袋の一例を示す斜視図である。図１６では、スタンディングパウチ方式の形状の包装袋１Ｃを例示している。包装袋１Ｃは、楕円状の底部２９を有している。つまり、包装袋１Ｃは、第２の収容部２１の底部２９が上部よりも広がりを有しており、自立可能とされている。ここで、第１実施形態の包装袋１と第４実施形態の包装袋１Ｃとでは、底部の構成が異なるのみで、他の構成は同様であるので、第１実施形態の説明が適用できる。このようにして、様々な自立可能なスタンディングパウチ方式の包装袋に、本発明の包装袋を適用することができる。
【００４０】
次に、第１の比較例について説明する。第１の比較例として、特許文献１の混合袋を取りあげる。特許文献１には、一例として、混合袋のチャックを挟む両側の二辺のそれぞれを未だ開口部とする状態で両チャック部材を嵌合してチャックを閉じ、一方の開口部から収容室に内容物を充填し該開口部をヒートシールすると共に、他方の開口部から他の収容室に別の内容物を充填し該開口部をヒートシールする構成が開示されている。このような構成であれば、チャックを介さずに内容物を充填できるので、仕切り箇所に発生し得る不具合を回避できると思われる。
【００４１】
しかし、このような上下方向から内容物を充填する方式では、第１実施形態における包装袋１に第１及び第２の内容物を収容する工程と比較して、仮に機械作業で自動化した場合に混合袋の天地を逆転させなければならず、余計な手間がかかり、生産効率が下がるので好ましくない。そのため、この点に関し、第１実施形態の包装袋１の方が優れていると言える。なお、第２〜第４実施形態の包装袋１Ａ、１Ｂ、１Ｃについても、同様に優れていると言える。
【００４２】
次に、第２の比較例について説明する。第２の比較例として、特許文献１のような混合袋において、仮に、当業者であれば、一方の側壁側がそれぞれ開口されていて、側壁側の開口部からそれぞれの収容室に別種の内容物をそれぞれ充填した後にヒートシールする構成も想到し得ると思われる。このような構成であっても、チャックを介さずに別種の内容物をそれぞれ充填できるので、仕切り箇所に発生し得る不具合を回避できると思われる。
【００４３】
しかし、このような側壁方向から別種の内容物をそれぞれ充填する方式では、第１実施形態における包装袋に第１及び第２の内容物を収容する工程と比較して、内容物を充填するのに重力作用を利用できず、手間がかかる。そこで、仮に、このような側壁側に開口部を有する混合袋を９０度倒して、それぞれの開口部を重力方向に持ってくれば、重力作用を利用して別種の内容物をそれぞれ充填できるようにも思われる。
【００４４】
しかし、この場合、例えば一方の開口部が他方の開口部より狭い場合、一方の内容物を入れづらく、手間がかかる。また、混合袋を搬送するのに安定性を欠くので好ましくない。安定性を欠くという点においては、スタンディングパウチ方式の包装袋においても、側壁側に開口部を設ける方式を採用し、９０度倒して、それぞれの開口部を重力方向に持ってきて搬送するようにしても同様のことが言える。したがって、第１実施形態の包装袋１の方が安定して第１、第２の内容物を収容できるので優れていると言える。なお、第２〜第４実施形態の包装袋１Ａ、１Ｂ、１Ｃについても、同様に優れていると言える。
【００４５】
以上、本件に開示する実施形態について明細書及び図面等を用いて説明したが、本件開示の技術は、上記実施形態に限定されるものではなく、本発明の趣旨を逸脱しない範囲で種々の変更が可能である。
【００４６】
また、明細書及び図面中において示した動作等の各処理の実行順序は、任意の順序で実行してもよい場合がある点に留意すべきである。例えば、第１実施形態では、第３工程１０３→第４工程１０４→第１工程１０１→第２工程１０２と順番を変更してもよい。また、発明の理解の容易のため、上記実施形態で挙げた各図面における各構成要素の縮尺は必ずしも実際のものと同じであるとは限らない場合がある。
【００４７】
[上記実施形態の補足事項]
（１）第１の内容物、第２の内容物について
上記実施形態では、第１の内容物として、固形ドレッシング、第２の内容物として、カット野菜を採用したが、これに限定されない。第１の内容物は、固形ドレッシングに限られず、例えば、サラダ用ドレッシング、マヨネーズ等の油脂加工食品であってもよい。第２の内容物は、例えば、ポテトサラダ、ツナサラダ、マカロニサラダ、和風サラダ等のサラダであってもよい。
【００４８】
また、上記実施形態の第１の内容物と第２の内容物との組合せとしては、例えば、第２の内容物は、から揚げ、天ぷら等のフライ食品から選択したものであって、第１の内容物は、第２の内容物に応じて、たれ、天つゆ、ソース等の調味料から適宜選択したものであってもよい。
【００４９】
また、上記実施形態の第１の内容物と第２の内容物との組合せとしては、第１の内容物が果実用ソース、第２の内容物が苺等の果実であってもよい。
【００５０】
また、上記実施形態の第１の内容物と第２の内容物との組合せとしては、第１の内容物がブルーベーリ等のヨーグルト用のジャム、第２の内容物がヨーグルトであってもよい。
【００５１】
また、上記実施形態の第１の内容物と第２の内容物との組合せとしては、第２の内容物は、胡瓜、大根、茄子等の野菜を調味液に短時間漬けた浅漬けであってもよい。この場合、第１の内容物は、粒状体若しくは粉状体であり、例えば、粉末醤油、食塩、アミノ酸、酸味料、香料であってもよい。
【００５２】
また、上記実施形態の第１の内容物と第２の内容物との組合せとしては、何れか一方、又は両方が液体であってもよい。この場合、第１の収容部１１のフィルム、第２の収容部２１のフィルムは、液体を収容する場合、例えば、液体の封入に適しているフィルムとして、ＯＮＹ（二軸延伸ナイロン：外層）／ＬＬＤＰＥ（リニヤ低密度ポリエチレン：内層）であることが好ましい。
【００５３】
また、上記実施形態の１内容物と第２の内容物との組合せとしては、食品に限られず、化学品、医薬品、工業製品等であってもよい。例えば、これらの組合せとしては、二液混合接着剤等の混合タイプの接着材であってもよい。この場合、例えば二液混合接着剤は、エポキシ樹脂等の液状樹脂の主剤とポリアミド系の硬化剤とを常温域で化学反応（架橋）させることで硬化するものである。ここで、第１の内容物は硬化剤、第２の内容物は主剤であってよく、硬化剤と主剤とを混合することにより、接着剤としての機能が発揮される。但し、建築現場等で一度に大量に使用する場合に適用されることが好ましい。
【００５４】
また、上記実施形態の１内容物と第２の内容物との組合せとしては、混合医薬として、混合すると経時変化を起こす理由で使用時に混合することが好ましい各種薬剤（液剤、粉末若しくは固形剤）を分離して第１の収容部１１、第２の収容部２１に収容するようにしてもよい。
【００５５】
（２）フィルムの選択について
上記実施形態では、ＯＰＰ／ＣＰＰフィルム、ＣＰＰフィルムを採用したがこれに限定されず、包装袋１の第１の収容部１１、１１ａ、１１ｂ、及び第２の収容部２１のフィルムの選択として、用途に応じて、以下のフィルム（例えば軟包性フィルム）又は樹脂等を本発明のフィルムとして採用してもよい。
【００５６】
上記実施形態では、ＯＰＰ／ＰＥ（ポリエチレン）、ＯＰＰ／ＥＶＡ（エチレン・酢酸ビニル共重合フィルム）、ＯＰＰ／ＬＬＤＰＥを採用してもよい。ＯＰＰ／ＰＥ、ＯＰＰ／ＥＶＡ、ＯＰＰ／ＬＬＤＰＥは、例えば、比較的低コストの包装材料で、酸素の影響を受けにくい砂糖、塩、菓子、冷凍食品等に使用実績があることが知られている。
【００５７】
また、上記実施形態では、ＯＰＰ／ＥＶＯＨ（ポリビニルアルコール）／ＰＥを採用してもよい。ＯＰＰ／ＥＶＯＨ／ＰＥは、酸化透過度が低くバリア性等に優れており、例えば、削り節、漬け物、粉末スープ、高級菓子、珍味、茶葉等に使用実績があることが知られている。
【００５８】
また、上記実施形態では、ＯＰＰ／ＶＭ（アルミ蒸着フィルム、透明蒸着フィルム）ＣＰＰを採用してもよい。ＯＰＰ／ＶＭＣＰＰは、ガスバリア性、防湿性、光遮光性等に優れており、例えば、ポテトチップス等、光、酸素、湿気の影響を受けやすい食品に使用実績があることが知られている。
【００５９】
また、上記実施形態では、ＫＯＰ（ポリ塩化ビニリデンコートＯＰＰ又はＫコート二軸延伸ポリプロピレン）／ＰＥ、ＫＯＰ／ＥＶＡ、ＫＯＰ／ＬＬＤＰＥを採用してもよい。ＫＯＰ／ＰＥ、ＫＯＰ／ＥＶＡ、ＫＯＰ／ＬＬＤＰＥは、防湿性、ガス遮断性等に優れており、例えば、高防湿性を要求する菓子、ふりかけ等に使用実績があることが知られている。
【００６０】
また、上記実施形態では、ＫＯＰ／ＣＰＰを採用してもよい。ＫＯＰ／ＣＰＰは、防湿性、透明性等が優れており、例えば、一般乾燥食品、菓子等に使用実績があることが知られている。
【００６１】
また、上記実施形態では、ＰＥＴ（ポリエチレンテレフタレート）／ＰＥ、ＰＥＴ／ＥＶＡ、ＰＥＴ／ＬＬＤＰＥを採用してもよい。ＰＥＴ／ＰＥ、ＰＥＴ／ＥＶＡ、ＰＥＴ／ＬＬＤＰＥは、耐熱性、耐寒性、保香性に優れており、例えば、ＰＥＴの耐熱性によりレトルトパウチに適しており、また、ＰＥＴ／ＰＥは、薬品、真空包装、冷凍食品等に使用実績があることが知られている。
【００６２】
また、上記実施形態では、ＰＥＴ／ＣＰＰを採用してもよい。ＰＥＴ／ＣＰＰは、水物用に使用実績があることが知られている。
【００６３】
また、上記実施形態では、ＫＰＥＴ（Ｋコートポリエチレンテレフタレート）／ＰＥ、ＫＰＥＴ／ＥＶＡ、ＫＰＥＴ／ＬＬＤＰＥ、ＫＰＥＴ／ＣＰＰを採用してもよい。ＫＰＥＴは、ＰＥＴの片面にＫ（ＰＶＤＣ）コートしたもので、ＰＥＴよりもガスバリア性、防湿性が優れており、ＰＥＴの特徴をもっているので、耐熱性、耐寒性、保香性に優れている。
【００６４】
また、上記実施形態では、ＯＮ（延伸ナイロン）／ＰＥ、ＯＮ／ＥＶＡ、ＯＮ／ＬＬＤＰＥを採用してもよい。ＯＮは、耐熱性、耐寒性、耐衝撃性、耐ピンホール性に特徴を有しており、液体に適していることが知られている。
【００６５】
また、上記実施形態では、ＯＮ／ＣＰＰを採用してもよい。ＯＮ／ＣＰＰは透明レトルトパウチに適していることが知られている。
【００６６】
また、上記実施形態では、ＫＯＮ（Ｋコート延伸ナイロン）／ＰＥ、ＫＯＮ／ＣＰＰを採用してもよい。ＫＯＮは、ＯＮの片面にＫ(ＰＶＤＣ)をコートしたもので、ガスバリア性、防湿性に優れ、ＯＮの特徴も備えていることが知られている。
【００６７】
また、上記実施形態では、ＰＥＴ／ＶＭＰＥＴ／ＰＥ、ＰＥＴ／ＶＭＰＥＴ／ＥＶＡ、ＰＥＴ／ＶＭＰＥＴ／ＬＬＤＰＥを採用してもよい。これらは、耐熱性、ガスバリア性、防湿性、遮光性に優れていることが知られている。
【００６８】
また、上記実施形態では、ＰＥＴ／ＡＬ(アルミニウム箔)／ＰＥ、ＰＥＴ／ＡＬ／ＣＰＰを採用してもよい。ＰＥＴ／ＡＬ／ＰＥ、ＰＥＴ／ＡＬ／ＣＰＰは、アルミ箔を使用することにより、ガスバリア性、防湿性、遮光性は、略完全であり、長期保存に特に優れていることが知られている。
【００６９】
なお、上記以外にも、ＡＢＳ（アクリルニトリル・ブタジエン・スチレン樹脂）、ＰＯ（ポリオレフィン）、ＨＤＰＥ（高密度ポリエチレン）、ＥＶＡＣ（エチレン・酢酸ビニル樹脂）、Ｅ／Ｐ（エチレン・プロピレン樹脂）、ＥＡＡ（エチレン・アクリル酸共重合物）、ＥＭＡＡ（エチレン・メタクリル酸共重合物）ＥＥＡ（エチレン・アクリル酸エチル共重合物）、ＥＭＭＡ（エチレン・メタクリル酸メチル共重合物）、ＥＭＡ（エチレン・アクリル酸メチル共重合物）、ＩＯＮ（アイオノマー）、ＰＣ（ポリカーボネート）、ＰＡ（ポリアミド）、ＰＳ（ポリスチレンフィルム）、ＰＶＣ（ポリ塩化ビニル）、ＣＮＹ（無延伸ポリプロピレン）、Ａ−ＰＥＴ（アモルファス−ポリエチレンテレフタレート）、Ｃ−ＰＥＴ（結晶性−ポリエチレンテレフタレート）、ＯＰＳ（延伸ポリスチレン）、ＭＸＤ−６（二軸延伸メタキシレンダイアミン）フィルム、ＰＶＡ（延伸ポリビニルアルコールフィルム）、ＰＡＮ（ポリアクリルニトリル）フィルム、ＰＴ（普通セロハン）、ＭＳＴ（防湿セロハン）、ＳＡＮ（スチレンアクリルニトリル）を用途に応じて適宜選択してもよい。
【００７０】
また、上記以外にも、ＢＴ（ビスマレイドトリアジン）、ＣＡ（セルロースアセテート）、ＣＡＢ（セルロースアセテートブチレート）、ＣＦ（クレゾール樹脂）、ＣＭＣ（カルボキシルメチルセルロース）、ＣＮ（ニトロセルロース）、ＣＳ（カゼイン）、ＤＡＰ（ジアリルフタレート）、ＥＣ（エチルセルロース）、ＧＬ（オレフィンビニルアルコール共重合）、ＭＦ（メラニン樹脂）、ＰＡＢＭ（ポリアミノビスマレイド樹脂）、ＰＡＩ（ポリアミドイミド）、ＰＡＲ（ポリアリレート）、ＰＢＴ（ポリブチレンテレフタレート）、ＰＣＴＦＥ（三フッ化エチレン樹脂）、ＰＤＡＰ（ジアリルフタレート樹脂）、ＭＤＰＥ（中密度ポリエチレン）、ＰＥＥＫ（ポリエーテルエーテルケトン）、ＰＥＩ（ポリエーテルイミド）、ＰＥＳ（ポリエーテルサルホン）、ＰＥＳＦ（ポリエーテルスルフォン）、ＰＦ（フェノール樹脂）、ＰＩＢ（ポリイソブチレン）、ＰＭＭＡ（ポリメタクリル酸メチル）、ＰＯＢ（ポリオキシベンゾイル）、ＰＰＥ（ポリフェニレンエーテル）、ＰＰＳ（ポリフェニレンサルファイト）、ＨＩＰＳ（高衝撃性ポリスチレン）、ＰＳＦ（ポリサルホン）、ＰＴＦＥ（四フッ化エチレン樹脂）、ＰＵＲ（ポリウレタン）、ＰＶＡＣ（ポリ酢酸ビニル）、ＰＶＡＬ（ポリビニルアルコール）、ＰＶＢ（ポリビニルブチラール）、ＰＶＣＡ（ポリ塩化酢酸ビニル）、ＰＶＦ（ポリフッ化ビニリデン）、ＰＶＦＭ（ポリビニルホルマール）、ＳＢ（スチレンブタジエン樹脂）、ＳＩ（シリコーン素樹脂）、ＵＦ（ユリア樹脂）、ＵＨＭＷ（超高分子量ポリエチレン）、ＵＰ（不飽和ポリエステル樹脂）を用途に応じて適宜選択してもよい。
【００７１】
また、上記以外にも、フィルムにミクロの穴が空いており、カット野菜が呼吸可能な鮮度保持機能の高いフィルムを採用してもよい。
【００７２】
以上より、包装袋の用途により、最適な素材を適宜選択可能である。また、単層構造としてもよく、多層構造のフィルムとしてもよい。また、包装袋の形状及びサイズは、用途に応じて適宜変更してもよい。したがって、本発明の包装袋は、例えば、第１の収容部１１及び第２の収容部２１の容量が略同一のような形状の包装袋であってもよいし、手のひらサイズの形状であってもよい。また、本発明の包装袋は、ガセットタイプやスタンディングパウチ方式以外の形状の包装袋であってもよい。
【００７３】
また、上記実施形態において、ヒートシールを採用したが、用途に応じて、超音波シール、接着シールを採用してもよい。
【符号の説明】
【００７４】
１、１Ａ、１Ｂ、１Ｃ…包装袋
２…カット野菜
３…固形ドレッシング
１１、１１ａ、１１ｂ…第１の収容部
１２…第１の開口部
１４…チャック
１４１…雄部材
１４２…雌部材
２１…第２の収容部
２２…第２の開口部
２４…ガセット部
２５…第１のつまみ部
２６…第２のつまみ部
２７…カットライン
２８…ハーフカット
【図１】
2018058628.tif 000003
【図２】
2018058628.tif 000004
【図３】
2018058628.tif 000005
【図４】
2018058628.tif 000006
【図５】
2018058628.tif 000007
【図６】
2018058628.tif 000008
【図７】
2018058628.tif 000009
【図８】
2018058628.tif 000010
【図９】
2018058628.tif 000011
【図１０】
2018058628.tif 000012
【図１１】
2018058628.tif 000013
【図１２】
2018058628.tif 000014
【図１３】
2018058628.tif 000015
【図１４】
2018058628.tif 000016
【図１５】
2018058628.tif 000017
【図１６】
2018058628.tif 000018